(57)【要約】【課題】  画像伝送量を増やすことなく、のりしろ画像を複数のチップに分配することを可能にした画像処理システムを提供すること。【解決手段】  映像出力装置より入力された画像を映像表示装置で表示する画像処理システムであって、前記映像出力装置は、複数の画像領域と該画像領域毎の識別情報と該画像領域毎の座標情報を基に設定される領域設定を前記映像表示装置に入力し、前記映像表示装置は、前記複数の画像領域を個別の画像処理部へ分配することを特徴とする画像処理システム。【選択図】  図３
2018091921.tif 000002
【特許請求の範囲】
【請求項１】
映像出力装置より入力された画像を映像表示装置で表示する画像処理システムであって、
前記映像出力装置は、
複数の画像領域と該画像領域毎の識別情報と該画像領域毎の座標情報を基に設定される領域設定を前記映像表示装置に入力し、
前記映像表示装置は、
前記映像出力装置から入力された前記複数の画像領域である三つ以上の画像領域のうち、二つ以上の画像領域に隣接する中間領域を、隣接する前記二つ以上の画像領域のそれぞれと合成した二つ以上の合成画像を生成し、
前記二つ以上の合成画像を個別の画像処理部へ分配することを特徴とする画像処理システム。
【請求項２】
前記映像出力装置が設定する前記三つ以上の画像領域と、前記識別情報と、前記領域設定は、前記映像表示装置から入力されることを特徴とする請求項１に記載の画像処理システム。
【請求項３】
前記識別情報は、ＤｉｓｐｌａｙＰｏｒｔに関するＰｏｒｔＮｕｍｂｅｒのパラメータに基づいて、ＰｈｉｓｉｃａｌＰｏｒｔとＬｏｇｉｃａｌＰｏｒｔを設定することで決まることを特徴とする請求項１または２に記載の画像処理システム。
【請求項４】
前記二つ以上の画像領域に隣接する中間領域は前記ＬｏｇｉｃａｌＰｏｒｔに入力され、
前記隣接する前記二つ以上の画像領域は、前記ＰｈｉｓｉｃａｌＰｏｒｔに入力され、前記ＬｏｇｉｃａｌＰｏｒｔに入力された画像と前記ＰｈｉｓｉｃａｌＰｏｒｔに入力された前記二つ以上の画像領域を合成して二つ以上の合成画像を生成することを特徴とする請求項１乃至３のいずれか１項に記載の画像処理システム。
【請求項５】
前記映像出力装置は、前記映像出力装置と前記映像表示装置が接続された際に前記ＬｏｇｉｃａｌＰｏｒｔの設定に対応もしくは非対応の判断を行い、前記ＬｏｇｉｃａｌＰｏｒｔの設定に非対応の場合、
前記ＰｈｉｓｉｃａｌＰｏｒｔのみを使用して前記映像表示装置へ画像を出力することを特徴とする請求項１乃至４のいずれか１項に記載の画像処理システム。
【請求項６】
映像出力装置より入力された画像を映像表示装置で表示する画像処理システムであって、
前記映像表示装置内の第一の画像処理部は、四つ以上の画像領域と、該画像領域毎の識別情報と、該画像領域毎の座標情報を基に設定される領域設定とを第二の画像処理部へ出力し、
前記第二の画像処理部は、前記第一の画像処理部から入力された前記四つ以上の画像領域のうち、二つ以上の画像領域に隣接する中間領域を二つ以上の中間領域に分け、隣接する前記二つ以上の画像領域と前記二つ以上の中間領域を合成した二つ以上の合成画像を生成し、前記二つ以上の合成画像を前記第一の画像処理部へ分配することを特徴とする請求項１乃至５のいずれか１項に記載の画像処理システム。
【請求項７】
前記識別情報は、ＤｉｓｐｌａｙＰｏｒｔに関するＰｏｒｔＮｕｍｂｅｒのパラメータに基づいて、ＰｈｉｓｉｃａｌＰｏｒｔとＬｏｇｉｃａｌＰｏｒｔを設定することで決まることを特徴とする請求項６に記載の画像処理システム。
【請求項８】
前記二つ以上の中間領域は前記ＬｏｇｉｃａｌＰｏｒｔに入力され、
隣接する前記二つ以上の画像領域は、前記ＰｈｉｓｉｃａｌＰｏｒｔに入力され、隣接する前記二つ以上の画像領域とその領域外の前記二つ以上の中間領域を合成した二つ以上の合成画像を生成することを特徴とする請求項６または７に記載の画像処理システム。
【請求項９】
映像出力装置より入力された画像を映像表示装置で表示する画像処理システムの制御方法であって、
複数の画像領域と該画像領域毎の識別情報と該画像領域毎の座標情報を基に設定される領域設定を前記映像表示装置に入力し、
前記映像出力装置から入力された前記複数の画像領域である三つ以上の画像領域のうち、二つ以上の画像領域に隣接する中間領域を、隣接する前記二つ以上の画像領域のそれぞれと合成した二つ以上の合成画像を生成し、
前記二つ以上の合成画像を個別の画像処理部へ分配することを特徴とする画像処理システムの制御方法。
【発明の詳細な説明】
【技術分野】
【０００１】
本発明は、映像インターフェース伝送される画像を画像処理する画像処理装置に関するものである。
【背景技術】
【０００２】
映像出力装置及び映像表示装置間の画像伝送方法として、デジタル差動信号を用いる方法がある。その規格の１つとしてＤｉｓｐｌａｙＰｏｒｔ（登録商標）ある。ＤｉｓｐｌａｙＰｏｒｔは、液晶ディスプレイ及びプロジェクタなどの映像表示装置のために設計された映像出力インターフェースの規格である。
【０００３】
その規格の中のＤｉｓｐｌａｙＰｏｒｔ  Ｖｅｒｓｉｏｎ１．２ではＭＳＴ（Ｍｕｌｔｉ  Ｓｔｒｅａｍ  Ｔｒａｎｓｐｏｒｔ）がサポートされている。ＭＳＴとは、１つの映像出力装置から複数の映像表示装置に異なる映像を出力する機能である。このとき、映像出力装置と複数の映像表示装置は数珠つなぎの様なデイジーチェーンで接続された状態である。また、このように異なる映像を伝送する技術を応用したもので、複数のトランスポートストリームに識別子を付けて、高解像度な１つのストリームに複合する技術が開示されている。（例えば、特許文献１参照）
【０００４】
一方、高解像度の映像を表示するために、映像表示装置内にあるチップは、伝送帯域の制限により後段にある複数のチップへと画像を分割して伝送し、後段にある複数のチップ同士が連携して画像処理をすることがある。この画像処理は、ＤＲＡＭ（Ｄｙｎａｍｉｃ  Ｒａｎｄｏｍ  Ａｃｃｅｓｓ  Ｍｅｍｏｒｙ）などのフレームメモリを使用して処理を施す。他のチップが処理する隣接した中間領域の画像（以下、のりしろ画像と称す）を分割画像に付加しておき、フレームメモリから読み出し参照することで、画素の輝度や色合いを補完できる。このような複数のチップ同士で画像処理を施す技術が開示されている。（例えば、特許文献２参照）。
【先行技術文献】
【特許文献】
【０００５】
【特許文献１】特開２０１３−２４３５０７号公報
【特許文献２】特開２０１３−０６５２８３号公報
【発明の概要】
【発明が解決しようとする課題】
【０００６】
しかしながら、上述の特許文献に開示された従来技術では、のりしろ画像を付加した分割画像を伝送するので、のりしろ画像分の容量が重複してしまう。そのため画像伝送量が増えてしまう。
【０００７】
そこで、本発明の目的は、画像伝送量を増やすことなく、のりしろ画像を複数のチップに分配することを可能にした画像処理システムを提供することである。
【課題を解決するための手段】
【０００８】
映像出力装置より入力された画像を映像表示装置で表示する画像処理システムであって、前記映像出力装置は、複数の画像領域と該画像領域毎の識別情報と該画像領域毎の座標情報を基に設定される領域設定を前記映像表示装置に入力し、前記映像表示装置は、前記映像出力装置から入力された前記複数の画像領域である三つ以上の画像領域のうち、二つ以上の画像領域に隣接する中間領域を、隣接する前記二つ以上の画像領域のそれぞれと合成した二つ以上の合成画像を生成し、前記二つ以上の合成画像を個別の画像処理部へ分配することを特徴とする画像処理システム。
【発明の効果】
【０００９】
本発明によれば、画像伝送量を増やすことなく、のりしろ画像を複数のチップに分配することを可能にした画像処理システムを提供することができる。
【図面の簡単な説明】
【００１０】
【図１】第一の実施形態の画像処理システムの概略図である。
【図２】第一の実施形態の画像処理システムの構成図である。
【図３】第一の実施形態のＤｉｓｐｌａｙＰｏｒｔ−ＴＸ２２１とＤｉｓｐｌａｙＰｏｒｔ−ＲＸ２３０の内部構成図である。
【図４】マイクロパケットの模式図である。
【図５】第一の実施形態の画像処理システムの基本動作を示したフローチャートである。
【図６】第二の実施形態の画像処理システムの構成図である。
【図７】第二の実施形態のＤｉｓｐｌａｙＰｏｒｔ−ＲＸ６３０の内部構成図である。
【図８】第二の実施形態の画像処理システムの基本動作を示したフローチャートである。
【発明を実施するための形態】
【００１１】
以下、添付図面を参照して本発明の実施形態を説明するが、この発明は以下の実施の形態に限定されるものではない。
【００１２】
［第一の実施形態］
以下、本発明の第一の実施形態について説明する。
【００１３】
図１は、本発明を実施する画像処理システムの概略図である。図１の画像処理システムでは、映像出力装置１００と映像表示装置１０１をケ−ブル１０２で接続され、映像出力装置１００で再生した映像が映像表示装置１０１で表示される。
【００１４】
映像出力装置１００は、ＤｉｓｐｌａｙＰｏｒｔ  Ｖｅｒｓｉｏｎ１．２に対応した機器であり、マルチストリームで伝送される信号を出力することができる。なお、映像出力装置１００は映像を出力できればよく、ＰＣに限定されるものではない。
【００１５】
映像表示装置１０１は、映像出力装置１００と同様に、ＤｉｓｐｌａｙＰｏｒｔ  Ｖｅｒｓｉｏｎ１．２に対応した機器であり、マルチストリームで伝送された信号を表示する。なお、映像表示装置１０１は映像を表示できればよく、ディスプレイに限定されるものではない。
【００１６】
ケ−ブル１０２はＤｉｓｐｌａｙＰｏｒｔの規格に準拠したケ−ブルである。
【００１７】
以下、このような画像処理システムについて説明する。
【００１８】
＜全体構成＞
次に、図２を用いて本発明に係るシステムの全体構成を説明する。図２は、本発明の第一の実施形態の全体の構成を示す図である。
【００１９】
映像出力装置１００は、ＨＤＤ（ＨａｒｄＤｉｓｃＤｒｉｖｅ）２２０とＤｉｓｐｌａｙＰｏｒｔ−ＴＸ２２１を有する。映像表示装置１０１は、ＤｉｓｐｌａｙＰｏｒｔ−ＲＸ２３０と画像処理ＬＳＩ２３１及び２３２と表示部２３３を有する。
【００２０】
次に、映像出力装置１００と映像表示装置１０１内にあるブロックの機能を説明する。
ＨＤＤ２２０には、映像が保存されている。ユ−ザ−が、図示しないメニュ−画面を操作することでＨＤＤ２２０に保存されていた画像２００がＤｉｓｐｌａｙＰｏｒｔ−ＴＸ２２１へ出力される。
【００２１】
ＤｉｓｐｌａｙＰｏｒｔ−ＴＸ２２１は、入力された画像２００を第一の画像領域２０１と第二の画像領域２０２とのりしろ領域２０３に領域設定する。これらの領域設定は座標情報を基に設定される。のりしろ領域２０３は、映像表示装置１０１内で画像処理を施すため、画像中央の位置２０４に隣接した画素の領域である中間領域を指す。のりしろ領域２０３にある画素をのりしろ画像とする。第一の画像領域２０１と第二の画像領域２０２は、図２に示すようにのりしろ領域２０３以外の領域を指す。ＤｉｓｐｌａｙＰｏｒｔ−ＴＸ２２１は、第一の画像領域２０１と第二の画像領域２０２とのりしろ領域２０３を領域設定し、ＤｉｓｐｌａｙＰｏｒｔ−ＲＸ２３０へ出力する。なお、ＤｉｓｐｌａｙＰｏｒｔ−ＴＸ２２１はＤｉｓｐｌａｙＰｏｒｔの規格であるＬｏｇｉｃａｌＰｏｒｔを拡張することで、のりしろ画像をＤｉｓｐｌａｙＰｏｒｔ−ＲＸ２３０へ伝送することができる。このＬｏｇｉｃａｌＰｏｒｔの設定方法は後述する。
【００２２】
ＤｉｓｐｌａｙＰｏｒｔ−ＲＸ２３０は、第一の画像領域２０１に領域設定された第一の画像と、のりしろ領域２０３に領域設定されたのりしろ画像を画像処理ＬＳＩ２３１へ出力する。また、第二の画像領域２０２に領域設定された第二の画像と、のりしろ領域２０３に領域設定されたのりしろ画像を画像処理ＬＳＩ２３２へ出力する。
【００２３】
画像処理ＬＳＩ２３１は、入力された第一の画像に色や解像度変換等の画像処理を行い、画像中央の位置２０４で第一の画像を分割する。そして、分割された第一の画像を表示部２３３へ出力する。
【００２４】
画像処理ＬＳＩ２３２は、画像処理ＬＳＩ２３１と同一構成である。ＤｉｓｐｌａｙＰｏｒｔ−ＲＸ２３０から異なる画像を入力されるため符号を分けて付与している。画像処理ＬＳＩ２３１と同様に、分割された第二の画像を表示部２３３へ出力する。
【００２５】
表示部２３３は、画像処理ＬＳＩ２３１及び２３２から入力される画像を表示する。
【００２６】
なお、ＤｉｓｐｌａｙＰｏｒｔ−ＲＸ２３０、画像処理ＬＳＩ２３１及び２３２をひとつのチップに統合し、それぞれを内部的なレシーバー部、画像処理部として構成しても良い。
【００２７】
以上が、第一の実施形態における画像処理システムの全体構成である。
【００２８】
次に、図２と図３を用いて第一の実施形態の構成について詳しく説明する。
【００２９】
図３は、図２のＤｉｓｐｌａｙＰｏｒｔ−ＴＸ２２１とＤｉｓｐｌａｙＰｏｒｔ−ＲＸ２３０の内部構成を詳しく説明するためのブロック図である。
【００３０】
まず、図３に示すＤｉｓｐｌａｙＰｏｒｔ−ＴＸ２２１とＤｉｓｐｌａｙＰｏｒｔ−ＲＸ２３０に必要な構成を説明する。
【００３１】
ＤｉｓｐｌａｙＰｏｒｔ−ＴＸ２２１は、画像入力部３００、ＭａｉｎＬｉｎｋ出力部３０１、ＡＵＸ−ＣＨ（ＡｕｘｉｌｉａｒｙＣｈａｎｎｅｌ）入出力部３０２、ポート番号設定部３０３を有する。
【００３２】
ＤｉｓｐｌａｙＰｏｒｔ−ＲＸ２３０は、ＭａｉｎＬｉｎｋ入力部３１０、画像分配部３１１、第一画像出力部３１２、第二画像出力部３１３、機能情報設定部３２０、ＡＵＸ−ＣＨ入出力部３２１、を有する。
【００３３】
次に、ＤｉｓｐｌａｙＰｏｒｔ−ＴＸ２２１とＤｉｓｐｌａｙＰｏｒｔ−ＲＸ２３０内にあるブロックの機能を説明する。
【００３４】
まず、ＤｉｓｐｌａｙＰｏｒｔ−ＴＸ２２１内にあるブロックの機能を説明する。
【００３５】
画像入力部３００は、図２に図示したＨＤＤ２２０から入力される画像をＭａｉｎＬｉｎｋ出力部３０１へ出力する。また、画像の座標情報をポート番号設定部３０３へ出力する。
【００３６】
ＡＵＸ−ＣＨ入出力部３０２は、ＤｉｓｐｌａｙＰｏｒｔ−ＲＸ２３０内のＡＵＸ−ＣＨ入出力部３２１とＬｉｎｋＴｒａｉｎｉｎｇを行う。具体的には、ＤｉｓｐｌａｙＰｏｒｔレジスタ（ＤＰＣＤ：ＤｉｓｐｌａｙＰｏｒｔＣｏｎｆｉｇｕｒａｔｉｏｎＤａｔａ）のライトとリ−ド、並びに、ＥＤＩＤ（ＥｘｔｅｎｄｅｄＤｉｓｐｌａｙＩｄｅｎｔｉｆｉｃａｔｉｏｎＤａｔａ）のリ−ドを行う。ＤＰＣＤは、映像表示装置に配置されているＤｉｓｐｌａｙＰｏｒｔ専用のレジスタである。これらのレジスタには、ＤｉｓｐｌａｙＰｏｒｔ−ＲＸ２３０の対応したＭａｉｎＬｉｎｋのレ−ン数、ビットレ−ト、ＬｉｎｋＴｒａｉｎｉｎｇ、Ｌｉｎｋ初期化のステ−タス等の情報が記載されている。ＥＤＩＤは、映像表示装置の仕様である、色の特性、映像フォ−マットの指定、等の情報である。これらの情報はＭａｉｎＬｉｎｋ出力部３０１へ出力される。また、ＤＰＣＤ内にあるのりしろ領域情報とのりしろ転送情報はポート番号設定部３０３へ出力される。のりしろ領域情報とは、前述したのりしろ領域のことを指す。のりしろ転送情報とは、映像表示装置１０１がのりしろ領域画像を入力できるか否かを判断するための情報である。例えば、のりしろ転送情報を２進数で扱った場合、のりしろ転送情報が「１」のとき映像表示装置１０１はのりしろ領域画像を入力でき、のりしろ転送情報が「０」のとき映像表示装置１０１はのりしろ領域画像を入力できない、とする。映像出力装置１００は、のりしろ転送情報の値を基に、のりしろ画像を転送するか否かを制御する。
【００３７】
ポート番号設定部３０３は、ＡＵＸ−ＣＨ入出力部３０２から入力されたのりしろ領域情報と画像入力部３００から入力された画像の座標情報を基に、ＤｉｓｐｌａｙＰｏｒｔ−ＲＸ２３０のＰｈｉｓｉｃａｌＰｏｒｔとＬｏｇｉｃａｌＰｏｒｔを設定する。ＰｈｉｓｉｃａｌＰｏｒｔとＬｏｇｉｃａｌＰｏｒｔに関しては、後述するポート番号の設定方法にて説明する。のりしろ領域２０３外にあたる第一の画像と第二の画像はＰｈｉｓｉｃａｌＰｏｒｔに設定され、のりしろ領域２０３内にあたるのりしろ画像はＬｏｇｉｃａｌＰｏｒｔに設定される。なお、設定されたＰｈｉｓｉｃａｌＰｏｒｔとＬｏｇｉｃａｌＰｏｒｔは、ＭａｉｎＬｉｎｋ出力部３０１へ出力され、マイクロパケット内のＡＵＸ−ＣＨデ−タに画像デ−タと対応されるかたちで格納される。マイクロパケットの模式図を一例として図４に示す。マイクロパケットは映像の解像度、フレームレート、映像及び音声デ−タ、ＡＵＸ−ＣＨデ−タ等を１つのストリームのＩＤ及びアドレスに割り当てたパケットで構成される。なお、図４は模式的に示した図であり、実際の信号と異なる場合もある。
【００３８】
ＭａｉｎＬｉｎｋ出力部３０１は、ポート番号設定部３０３から入力されたＰｏｒｔＮｕｍｂｅｒをマイクロパケット内のＡＵＸ−ＣＨデ−タに格納する。また、ＡＵＸ−ＣＨ入出力部３０２から入力されるＥＤＩＤおよびＤＰＣＤから映像表示装置の性能を読み取る。そして、その性能に合わせ、画像入力部３００から入力された画像をＭａｉｎＬｉｎｋ入力部３１０へマイクロパケットで出力する。
【００３９】
以上が、ＤｉｓｐｌａｙＰｏｒｔ−ＴＸ２２１内にあるブロックの機能である。
【００４０】
ここで、ポート番号の設定方法を説明する。
【００４１】
ポート番号は、ＤｉｓｐｌａｙＰｏｒｔ−ＴＸ２２１内にある図示しないＴｏｐｏｌｏｇｙＭａｎａｇｅｒがＬｉｎｋＡｄｄｒｅｓｓ内のＰｏｒｔＮｕｍｂｅｒを読みだすことで設定される。ＰｏｒｔＮｕｍｂｅｒは、０〜１５の値で設定することができ、０〜７の値はＰｈｉｓｉｃａｌＰｏｒｔ、８〜１５の値はＬｏｇｉｃａｌＰｏｒｔとして設定される。ユ−ザ−はこのＤＰＣＤ内の情報であるＰｏｒｔＮｕｍｂｅｒの値を書き換えることで、ポート番号を設定することが出来る。このポート番号の設定により、ＤｉｓｐｌａｙＰｏｒｔ−ＲＸ２３０は画像処理ＬＳＩ２３１及び２３２へ画像を分配して出力することが出来る。
【００４２】
一例として、図２を用いてこの分配方法を説明する。
【００４３】
ＤｉｓｐｌａｙＰｏｒｔ−ＲＸ２３０は、ポート番号「０」に入力された画像を画像処理ＬＳＩ２３１へ出力し、ポート番号「１」に入力された画像を画像処理ＬＳＩ２３２へ出力し、ポート番号「８」に入力された画像を画像処理ＬＳＩ２３１及び２３２へ出力する、とする。
【００４４】
ＤｉｓｐｌａｙＰｏｒｔ−ＴＸ２２１は、第一の画像領域２０１に領域設定された第一の画像をポート番号「０」に対応させマイクロパケットに格納する。同様に、第二の画像領域２０２に領域設定された第二の画像をポート番号「１」に、のりしろ領域２０３に領域設定されたのりしろ画像をポート番号「８」に対応させ、ＤｉｓｐｌａｙＰｏｒｔ−ＲＸ２３０へ出力する。
【００４５】
ＤｉｓｐｌａｙＰｏｒｔ−ＲＸ２３０は、ポート番号に応じ、第一の画像領域２０１に領域設定された第一の画像と、のりしろ領域２０３に領域設定されたのりしろ画像を画像処理ＬＳＩ２３１へ出力する。また、第二の画像領域２０２に領域設定された第二の画像と、のりしろ領域２０３に領域設定されたのりしろ画像を画像処理ＬＳＩ２３２へ出力する。なお、ポート番号は識別子のような識別情報として扱ってもよく、ポート番号に限定されるものではない。
【００４６】
以上が、ポート番号の設定方法である。
【００４７】
次に、ＤｉｓｐｌａｙＰｏｒｔ−ＲＸ２３０内にあるブロックの機能を説明する。
ＭａｉｎＬｉｎｋ入力部３１０は、入力されたマイクロパケットから画像デ−タとＰｏｒｔＮｕｍｂｅｒの情報を抽出し、抽出した画像デ−タとＰｏｒｔＮｕｍｂｅｒを画像分配部３１１へ出力する。
【００４８】
画像分配部３１１は、機能情報設定部３２０から入力されるＰｈｉｓｉｃａｌＰｏｒｔとＬｏｇｉｃａｌｐｏｒｔの情報を基に、Ｐｏｒｔｎｕｍｂｅｒを設定する。そして、ＭａｉｎＬｉｎｋ入力部３１０から入力される画像デ−タとＰｏｒｔＮｕｍｂｅｒを基に、第一の画像と第二の画像とのりしろ画像を分配して第一画像出力部３１２と第二画像出力部３１３へ出力する。
【００４９】
第一画像出力部３１２は、第一の画像とのりしろ画像を合成し、合成した画像を画像処理ＬＳＩ２３１へ出力する。
【００５０】
第二画像出力部３１３は、第二の画像とのりしろ画像を合成し、合成した画像を画像処理ＬＳＩ２３２へ出力する。
【００５１】
機能情報設定部３２０は、ＥＤＩＤ及びＤＰＣＤのデ−タが格納されている。機能情報設定部３２０は、ＡＵＸ−ＣＨ入出力部３２１からのリ−ド要求により、ＥＤＩＤ及びＤＰＣＤをＡＵＸ−ＣＨ入出力部３２１へ出力する。このリ−ド要求は、ＤｉｓｐｌａｙＰｏｒｔ−ＴＸ２２１とＤｉｓｐｌａｙＰｏｒｔ−ＲＸ２３０が接続されると図示しないＨＰＤ（ＨｏｔＰｌｕｇＤｅｔｅｃｔ）ラインの電圧レベルが変化することで開始される。接続された場合、電圧レベルはＨｉｇｈになり、接続されていない場合、電圧レベルはＬｏｗとなる。ＤｉｓｐｌａｙＰｏｒｔ−ＴＸ２２１は、ＨＰＤの立上りエッジを検出することでＤｉｓｐｌａｙＰｏｒｔ−ＲＸ２３０へＥＤＩＤ及びＤＰＣＤのリ−ドを要求する。また、ＰｈｉｓｉｃａｌＰｏｒｔとＬｏｇｉｃａｌｐｏｒｔの情報を画像分配部３１１へ出力する。
【００５２】
ＡＵＸ−ＣＨ入出力部３２１は、機能情報設定部３２０から入力されたＥＤＩＤ及びＤＰＣＤを、ＤｉｓｐｌａｙＰｏｒｔ−ＴＸ２２１内のＡＵＸ−ＣＨ入出力部３０２へ出力する。
【００５３】
以上が、ＤｉｓｐｌａｙＰｏｒｔ−ＴＸ２２１とＤｉｓｐｌａｙＰｏｒｔ−ＲＸ２３０内にあるブロックの機能である。
【００５４】
＜基本動作＞
次に、図２と図３と図５を用いて、第一の実施形態の画像処理システムの基本動作を説明する。図５は、第一の実施形態の画像処理システムの基本動作を制御するためのフローチャートである。
【００５５】
まず、映像出力装置１００と映像表示装置１０１がケ−ブル１０２で接続された状態とする。（Ｓ５００）
【００５６】
ケ−ブル１０２が接続されると、図示しない映像表示装置１０１内のＨＰＤラインの電圧レベルがＨｉｇｈとなる。（Ｓ５０１）
【００５７】
図示しない映像出力装置１００内のＨＰＤラインの電圧レベルがＨｉｇｈになったことを検出すると、映像出力装置１００と映像表示装置１０１のＬｉｎｋを確立するための処理に移行する。（Ｓ５０２）
【００５８】
ＡＵＸ−ＣＨ入出力部３０２は、ＡＵＸ−ＣＨ入出力部３２１へＥＤＩＤ及びＤＰＣＤを要求する。（Ｓ５０３）
【００５９】
ＡＵＸ−ＣＨ入出力部３２１は、機能情報設定部３２０からＥＤＩＤ及びＤＰＣＤを取得し、取得したＥＤＩＤ及びＤＰＣＤをＡＵＸ−ＣＨ入出力部３０２へ出力する。なお、このときのＤＰＣＤ内の情報は、映像表示装置１０１がのりしろ画像を転送されることに対応したことを示すのりしろ転送情報が付加される。（Ｓ５０４）
【００６０】
ＡＵＸ−ＣＨ入出力部３０２は、入力されたＥＤＩＤ及びＤＰＣＤを図示しないＤｉｓｐｌａｙＰｏｒｔ−ＴＸ２２１内にあるＣＰＵに出力する。ＣＰＵはＥＤＩＤやＤＰＣＤに含まれる情報を基に、マルチストリーム伝送する解像度やフレームレートを決定する。（Ｓ５０５）
【００６１】
ＡＵＸ−ＣＨ入出力部３０２は、ＤＰＣＤに格納されたのりしろ転送情報検出し、映像表示装置１０１がのりしろ画像を入力できるか否かを判断する。（Ｓ５５０）
【００６２】
映像表示装置１０１がのりしろ画像を入力できない場合は、（Ｓ５０９）へ進む。
【００６３】
ＡＵＸ−ＣＨ入出力部３０２は、映像表示装置１０１がのりしろ画像を入力できると判断すると、Ｌｏｇｉｃａｌｐｏｒｔを用いたのりしろ転送を行うことをＡＵＸ−ＣＨ入出力部３２１を介し、機能情報設定部３２０へ通知する。（Ｓ５０６）
【００６４】
機能情報設定部３２０は、のりしろ転送を行うためにＭａｉｎＬｉｎｋ入力部３１０のポート番号に対して、ＰｈｉｓｉｃａｌＰｏｒｔとＬｏｇｉｃａｌｐｏｒｔを設定する。（Ｓ５０７）
【００６５】
機能情報設定部３２０は、ＡＵＸ−ＣＨ入出力部３２１及び３０２を介し、座標情報であるのりしろ領域情報をポート番号設定部３０３へ出力する。（Ｓ５０８）
【００６６】
ポート番号設定部３０３は、画像入力部３００から入力される画像の座標情報と、ＡＵＸ−ＣＨ入出力部３０２から入力されるのりしろ領域情報を基にポート番号を設定し、ＭａｉｎＬｉｎｋ出力部３０１へ出力する。ＭａｉｎＬｉｎｋ出力部３０１は、画像入力部３００から入力される画像とポート番号が対応されるかたちでマイクロパケットへ重畳する。なお、映像表示装置１０１がのりしろ画像を入力できない場合は、ポート番号を０〜７の値で設定し、ＰｈｉｓｉｃａｌＰｏｒｔのみを使用する。（Ｓ５０９）
【００６７】
ＭａｉｎＬｉｎｋ出力部３０１は、映像信号であるマイクロパケットをＭａｉｎＬｉｎｋ入力部３１０へマルチストリーム伝送する。（Ｓ５１０）
【００６８】
ＭａｉｎＬｉｎｋ入力部３１０は、画像分配部３１１へ画像とポート番号を出力する。画像分配部３１１は、ポート番号の値に応じ、入力された第一の画像と第二の画像とのりしろ画像を第一画像出力部３１２と第二画像出力部３１３へ分配する。なお、映像表示装置１０１がのりしろ画像を入力できない場合は、画像中央の位置２０４で画像を半分に分割し、分割した画像を第一画像出力部３１２と第二画像出力部３１３へ分配する。（Ｓ５１１）
【００６９】
第一画像出力部３１２と第二画像出力部３１３は、入力された画像を画像処理ＬＳＩ２３１及び２３２へ出力する。そして、画像処理ＬＳＩ２３１及び２３２は、画像処理後の画像を表示部２３３へ出力する。映像表示装置１０１は表示部２３３で映像を表示する。（Ｓ５１２）
【００７０】
以上で説明した本発明の第一の実施例によれば、ＤｉｓｐｌａｙＰｏｒｔ−ＲＸ２３０のポート番号の設定を拡張することで、画像伝送量を増やすことなく、のりしろ画像を後段にある画像処理チップへ分配することができる。
【００７１】
［第二の実施形態］
次に、本発明の第二の実施形態について説明する。
【００７２】
本発明の第一の実施形態では、ＤｉｓｐｌａｙＰｏｒｔ−ＲＸは、ＤｉｓｐｌａｙＰｏｒｔ−ＴＸから入力されるポート番号に応じてのりしろ画像を後段にある各画像処理ＬＳＩへ出力するシステムについて述べた。これに対し第二の実施例では、画像処理ＬＳＩから入力されるポート番号の設定により、ＤｉｓｐｌａｙＰｏｒｔ−ＲＸはのりしろ画像を各画像処理ＬＳＩへ出力するシステムについて説明する。
【００７３】
なお、本発明の第一の実施形態と同様な機能および動作を行う機能ブロック図は、以降、同一符号を付し、説明を省略する。
【００７４】
＜全体構成＞
次に、図６を用いて第二の実施形態におけるシステムの全体構成を説明する。図６は、本発明の第二の実施例におけるシステムの全体構成図である。
【００７５】
まず、映像出力装置１００内のブロックの機能を説明する。
【００７６】
ＤｉｓｐｌａｙＰｏｒｔ−ＴＸ６２０は、画像２００を第一の画像領域６０１と第二の画像領域６０２に領域設定してＤｉｓｐｌａｙＰｏｒｔ−ＲＸ６３０へ出力する。
【００７７】
次に、映像表示装置１０１内のブロックの機能を説明する。
【００７８】
画像処理ＬＳＩ６３１は、のりしろ設定情報をＤｉｓｐｌａｙＰｏｒｔ−ＲＸ６３０へ出力する。のりしろ設定情報は、座標情報であるのりしろ画像領域と、ポート番号である。画像処理ＬＳＩ６３１内の図示しないレジスタにのりしろ領域の設定情報が格納されているものとする。また、ＤｉｓｐｌａｙＰｏｒｔ−ＲＸ６３０から入力される画像を、実施例１同様、画像中央の位置２０４で画像を分割し、分割した画像を表示部２３３へ出力する。
【００７９】
画像処理ＬＳＩ６３２は、画像処理ＬＳＩ６３１と同等の機能である。のりしろ設定情報が画像処理ＬＳＩ６３１と異なるため、異なる符号を付加している。また、画像処理ＬＳＩ６３１同様に、画像中央の位置２０４で画像を分割し、分割した画像を表示部２３３へ出力する。
【００８０】
ＤｉｓｐｌａｙＰｏｒｔ−ＲＸ６３０は、第一の画像領域６０１に領域設定された第一の画像と画像処理ＬＳＩ６３２から入力されるのりしろ設定情報を基に、第二ののりしろ画像６０４を生成する。同様に、第二の画像領域６０２に領域設定された第二の画像と画像処理ＬＳＩ６３１から入力されるのりしろ設定情報を基に、第一ののりしろ画像６０３を生成する。そして、第一の画像６０１と第二ののりしろ画像６０３を画像処理ＬＳＩ６３１へ出力し、第二の画像６０２と第一ののりしろ画像６０４を画像処理ＬＳＩ６３２へ出力する。
【００８１】
以上が、第二の実施形態における画像処理システムの全体構成である。
【００８２】
次に、図６と図７を用いて第二の実施形態の構成について詳しく説明する。
【００８３】
図７は、図６のＤｉｓｐｌａｙＰｏｒｔ−ＲＸ６３０の内部構成を詳しく説明するためのブロック図である。
【００８４】
まず、図６に示すＤｉｓｐｌａｙＰｏｒｔ−ＲＸ６３０に必要な構成を説明する。
【００８５】
画像入力部７００は、ＤｉｓｐｌａｙＰｏｒｔ−ＴＸ６２０から入力される第一の画像６０１を第一画像分配部７０１へ出力する。また、入力される第二の画像６０２を第二画像分配部７０１へ出力する。
【００８６】
のりしろ設定情報入力部７０３は、画像処理ＬＳＩ６３１から入力されたのりしろ設定情報を第一画像分配部７０１へ出力する。
【００８７】
のりしろ設定領域情報入力部７０４は、画像処理ＬＳＩ６３２から入力されたのりしろ設定情報を第二画像分配部７０２へ出力する。
【００８８】
第一画像分配部７０１は、第一の画像６０１と画像処理ＬＳＩ６３２から入力されるのりしろ設定情報を基に、入力された第一の画像６０１を第一画像出力部７０５へ出力し、第一ののりしろ画像６０３を第二画像出力部７０６へ出力する。この画像を分配して出力する方法は、実施例１同様、ＰｈｉｓｉｃａｌＰｏｒｔとＬｏｇｉｃａｌｐｏｒｔを設定して実施する。のりしろ設定情報には、ＰｈｉｓｉｃａｌＰｏｒｔとＬｏｇｉｃａｌｐｏｒｔの情報が格納されている。ＰｈｉｓｉｃａｌＰｏｒｔに入力された第一の画像６０１は第一画像出力部７０５へ出力され、Ｌｏｇｉｃａｌｐｏｒｔに入力された第一ののりしろ画像６０３は第二画像出力部７０６へ出力される。
【００８９】
第二画像分配部７０２は、第一画像分配部７０１と同様な動作を実施する。第二の画像６０２と画像処理ＬＳＩ６３２から入力されるのりしろ設定情報を基に、入力された第二の画像６０２を第二画像出力部７０６へ出力し、第二ののりしろ画像６０４を第一画像出力部７０５へ出力する。ＰｈｉｓｉｃａｌＰｏｒｔに入力された第二の画像６０２は第二画像出力部７０６へ出力され、Ｌｏｇｉｃａｌｐｏｒｔに入力された第二ののりしろ画像６０４は第一画像出力部７０５へ出力される。
【００９０】
第一画像出力部７０５は、入力された第一の画像６０１と第一ののりしろ画像６０３を結合し、結合した画像を画像処理ＬＳＩ６３１へ出力する。
【００９１】
第二画像出力部７０６は、入力された第二の画像６０２と第二ののりしろ画像６０４を結合し、結合した画像を画像処理ＬＳＩ６３２へ出力する。
【００９２】
以上が、ＤｉｓｐｌａｙＰｏｒｔ−ＲＸ６３０内にあるブロックの機能である。
【００９３】
＜基本動作＞
次に、図６と図７と図８を用いて、第二の実施形態の画像処理システムの基本動作を説明する。図８は、第二の実施形態の画像処理システムの基本動作を制御するためのフローチャートである。
【００９４】
まず開始の状態は、映像表示装置１０１が起動され、画像処理ＬＳＩ６３１及び６３２がのりしろ設定情報をＤｉｓｐｌａｙＰｏｒｔ−ＲＸ６３０へ出力が完了し、ＤｉｓｐｌａｙＰｏｒｔ−ＴＸ６２０がＤｉｓｐｌａｙＰｏｒｔ−ＲＸ６３０へ出力している状態である。
【００９５】
のりしろ設定情報入力部７０３は、第一画像分配部７０１へのりしろ設定情報を出力し、のりしろ設定情報入力部７０４は、第二画像分配部７０２へのりしろ設定情報を出力する。（Ｓ８００）
【００９６】
第一画像分配部７０１と第二画像分配部７０２は、のりしろ設定情報からＰｈｉｓｉｃａｌＰｏｒｔとＬｏｇｉｃａｌｐｏｒｔを設定する。第一画像分配部７０１は、ＰｈｉｓｉｃａｌＰｏｒｔに入力された第一の画像６０１を第一画像出力部７０５へ出力し、Ｌｏｇｉｃａｌｐｏｒｔに入力された第一ののりしろ画像６０３を第二画像出力部７０６へ出力する。第二画像分配部７０２は、ＰｈｉｓｉｃａｌＰｏｒｔに入力された第二の画像６０２は第二画像出力部７０６へ出力し、Ｌｏｇｉｃａｌｐｏｒｔに入力された第二ののりしろ画像６０４は第一画像出力部７０５へ出力する。（Ｓ８０１）
【００９７】
第一画像出力部７０５は、入力された第一の画像と第一ののりしろ画像６０３を結合し、画像処理ＬＳＩ６３１へ出力する。第二画像出力部７０６は、入力された第二の画像と第二ののりしろ画像６０４を結合し、画像処理ＬＳＩ６３２へ出力する。（Ｓ８０２）
【００９８】
画像入力部７００は、ＤｉｓｐｌａｙＰｏｒｔ−ＴＸ６２０から入力される第一の画像６０１と第二の画像６０２が入力されているか検出する。第一の画像６０１と第二の画像６０２が入力されている場合、処理（Ｓ８０１）へ移動する。第一の画像６０１と第二の画像６０２が入力されていない場合、動作を終了する。（Ｓ８０３）
【００９９】
本発明の第二の実施例によれば、ＤｉｓｐｌａｙＰｏｒｔ−ＲＸ６３０の後段にある画像処理ＬＳＩから出力されるのりしろ設定情報を用いて、画像処理ＬＳＩにのりしろ画像を付加して転送することができる。そのため、ＤｉｓｐｌａｙＰｏｒｔ−ＲＸ６３０は画像伝送量を増やすことなく、画像を転送することができる。
【０１００】
以上、本発明の好ましい実施形態について説明したが、本発明はこれらの実施形態に限定されず、その要旨の範囲内で種々の変形及び変更が可能である。
【０１０１】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【図１】
2018091921.tif 000003
【図２】
2018091921.tif 000004
【図３】
2018091921.tif 000005
【図４】
2018091921.tif 000006
【図５】
2018091921.tif 000007
【図６】
2018091921.tif 000008
【図７】
2018091921.tif 000009
【図８】
2018091921.tif 000010